(57)【要約】【課題】移動する車両等に設置されている中継装置を、基地局を介して監視する無線通信システムにおいて、通信が途絶えた際の中継装置の動作状況原因を判定することを可能とする無線通信ネットワークの監視システム、監視方法及び監視装置を実現することである。【解決手段】監視装置３０は中継装置２０の位置情報を含む中継装置管理データ４０を受信し、少なくとも１つの中継装置２０と監視装置３０との間で通信が途絶えた場合、受信した中継装置管理データ４０に含まれる中継装置２０の位置情報に対応する状況判定データ５０の判定情報５４により、中継装置２０の動作状況を判定する。【選択図】図７
2014107721.tif 000002
【特許請求の範囲】
【請求項１】
基地局と、移動車両に少なくとも１つ設置され前記基地局と通信可能な中継装置と、前記基地局を介して前記中継装置と通信可能な監視装置とを備える無線通信ネットワークの監視システムであって、
前記中継装置は位置情報取得部を備え、
前記監視装置は位置情報と該位置情報に対応する判定情報とを含む状況判定データを記憶しており、
前記監視装置は前記中継装置の位置情報を含む中継装置管理データを受信し、少なくとも１つの前記中継装置と前記監視装置との間で通信が途絶えた場合、受信した前記中継装置管理データに含まれる中継装置の位置情報に対応する前記状況判定データの判定情報により、前記中継装置の動作状況を判定することを特徴とする監視システム。
【請求項２】
前記監視装置は、全ての前記中継装置と前記監視装置との間で通信が途絶えた場合、前記基地局と前記監視装置との間の通信の疎通確認を行い、前記判定情報又は前記疎通確認の結果に基づき前記中継装置又は前記基地局の動作状況を判定することを特徴とする、請求項１に記載の監視システム。
【請求項３】
前記監視装置は、前記中継装置又は前記基地局の動作状況の判定に基づいて、通信が途絶えた原因を示すアラーム内容を決定し、前記アラーム内容に基づいてアラームレベルを決定し、前記アラーム内容及び前記アラームレベルを表示することを特徴とする、請求項１又は２に記載の監視システム。
【請求項４】
基地局と、移動車両に少なくとも１つ設置され前記基地局と通信可能な中継装置と、前記基地局を介して前記中継装置と通信可能な監視装置とを備える無線通信ネットワークの監視システムにおける監視方法であって、
前記中継装置は位置情報取得部を備え、
前記監視装置は位置情報と該位置情報に対応する判定情報とを含む状況判定データを記憶しており、
前記監視装置が、前記中継装置の位置情報を含む中継装置管理データを受信するステップと、
前記監視装置が、少なくとも１つの前記中継装置と前記監視装置との間で通信が途絶えた場合、受信した前記中継装置管理データに含まれる中継装置の位置情報に対応する前記状況判定データの判定情報により、前記中継装置の動作状況を判定するステップと、
を含むことを特徴とする監視方法。
【請求項５】
前記監視装置が、全ての前記中継装置と前記監視装置との間で通信が途絶えた場合、前記基地局と前記監視装置との間の通信の疎通確認を行うステップと、
前記監視装置が、前記判定情報又は前記疎通確認の結果に基づき前記中継装置又は前記基地局の動作状況を判定するステップと、
を含むことを特徴とする、請求項４に記載の監視方法。
【請求項６】
前記監視装置が、前記中継装置又は前記基地局の動作状況の判定に基づいて、通信が途絶えた原因を示すアラーム内容を決定するステップと、
前記監視装置が、前記アラーム内容に基づいてアラームレベルを決定するステップと、
前記監視装置が、前記アラーム内容及び前記アラームレベルを表示するステップと、
を含むことを特徴とする、請求項４又は５に記載の監視方法。
【請求項７】
基地局と、移動車両に少なくとも１つ設置され前記基地局と通信可能な中継装置と、前記基地局を介して前記中継装置と通信可能な監視装置とを備える無線通信ネットワークの監視システムにおける監視装置であって、
前記基地局又は前記中継装置との間の通信の疎通確認を行う通信確認部と、
前記中継装置の位置情報を含む中継装置管理データを受信する中継装置管理データ収集部と、
前記受信した中継装置管理データ及び状況判定データを記憶する記憶部と、
少なくとも１つの中継装置と前記監視装置との間で通信が途絶えた場合、受信した前記中継装置管理データに含まれる中継装置の位置情報に対応する前記状況判定データの判定情報により、前記中継装置の動作状況を判定する監視装置制御部と、
を備えることを特徴とする監視装置。
【請求項８】
全ての前記中継装置と前記監視装置との間で通信が途絶えた場合、
前記通信確認部は前記基地局と前記監視装置との間の通信の疎通確認を行い、
前記監視装置制御部は、前記判定情報又は前記疎通確認の結果に基づき前記中継装置又は前記基地局の動作状況を判定することを特徴とする、請求項７に記載の監視装置。
【請求項９】
前記監視装置制御部は、前記中継装置又は前記基地局の動作状況の判定に基づいて、通信が途絶えた原因を示すアラーム内容を決定し、
前記監視装置はさらに、
前記アラーム内容に基づいてアラームレベルを決定するアラームレベル決定部と、
前記アラーム内容及び前記アラームレベルを表示するアラーム表示部と、
を有することを特徴とする、請求項７又は８に記載の監視装置。
【発明の詳細な説明】
【技術分野】
【０００１】
本発明は、無線通信ネットワークの監視システム、監視方法及び監視装置に関する。
【背景技術】
【０００２】
従来、基地局からの電波が到達し難い屋内等において移動局の良好な通信を確保するために、屋内の移動局と基地局との通信を中継する無線中継装置が用いられている。また、無線中継装置に異常が発生した場合において、例えば、特許文献１において、子局の異常を親局に通知する警報を送信可能な伝送システム、子局装置、警報発生方法が開示されている。
【先行技術文献】
【特許文献】
【０００３】
【特許文献１】特開２００８−２９４８４８号公報
【発明の概要】
【発明が解決しようとする課題】
【０００４】
しかしながら、移動する車両等に設置されている中継装置を、基地局を介して監視する無線通信システムにおいて、中継装置からの通信が途絶えた場合、通信が途絶えたことの警報によっては、中継装置が圏外エリアに移動したのか又は中継装置が故障しているのか、中継装置の動作状況を判定することが出来ない問題があった。
【０００５】
従って、上記のような問題点に鑑みてなされた本発明の目的は、移動する車両等に設置されている中継装置を、基地局を介して監視する無線通信システムにおいて、通信が途絶えた際の中継装置の動作状況を判定することを可能とする無線通信ネットワークの監視システム、監視方法及び監視装置を実現することである。
【課題を解決するための手段】
【０００６】
上記課題を解決する第１の観点に係る監視システムの発明は、基地局と、移動車両に少なくとも１つ設置され前記基地局と通信可能な中継装置と、前記基地局を介して前記中継装置と通信可能な監視装置とを備える無線通信ネットワークの監視システムであって、前記中継装置は位置情報取得部を備え、前記監視装置は位置情報と該位置情報に対応する判定情報とを含む状況判定データを記憶しており、前記監視装置は前記中継装置の位置情報を含む中継装置管理データを受信し、少なくとも１つの前記中継装置と前記監視装置との間で通信が途絶えた場合、受信した前記中継装置管理データに含まれる中継装置の位置情報に対応する前記状況判定データの判定情報により、前記中継装置の動作状況を判定することを特徴とする。
【０００７】
また第２の観点に係る発明は、第１の観点に係る監視システムであって、前記監視装置は、全ての前記中継装置と前記監視装置との間で通信が途絶えた場合、前記基地局と前記監視装置との間の通信の疎通確認を行い、前記判定情報又は前記疎通確認の結果に基づき前記中継装置又は前記基地局の動作状況を判定することを特徴とする。
【０００８】
また第３の観点に係る発明は、第１又は第２の観点に係る監視システムであって、前記監視装置は、前記中継装置又は前記基地局の動作状況の判定に基づいて、通信が途絶えた原因を示すアラーム内容を決定し、前記アラーム内容に基づいてアラームレベルを決定し、前記アラーム内容及び前記アラームレベルを表示することを特徴とする。
【０００９】
上述したように本発明の解決手段をシステムとして説明してきたが、本発明はこれらに実質的に相当する方法、装置としても実現し得るものであり、本発明の範囲にはこれらも包含されるものと理解されたい。
【００１０】
例えば、本発明を方法として実現させた第４の観点に係る監視方法の発明は、基地局と、移動車両に少なくとも１つ設置され前記基地局と通信可能な中継装置と、前記基地局を介して前記中継装置と通信可能な監視装置とを備える無線通信ネットワークの監視システムにおける監視方法であって、前記中継装置は位置情報取得部を備え、前記監視装置は位置情報と該位置情報に対応する判定情報とを含む状況判定データを記憶しており、前記監視装置が、前記中継装置の位置情報を含む中継装置管理データを受信するステップと、前記監視装置が、少なくとも１つの前記中継装置と前記監視装置との間で通信が途絶えた場合、受信した前記中継装置管理データに含まれる中継装置の位置情報に対応する前記状況判定データの判定情報により、前記中継装置の動作状況を判定するステップと、を含むことを特徴とする。
【００１１】
また第５の観点に係る発明は、第４の観点に係る監視方法であって、前記監視装置が、全ての前記中継装置と前記監視装置との間で通信が途絶えた場合、前記基地局と前記監視装置との間の通信の疎通確認を行うステップと、前記監視装置が、前記判定情報又は前記疎通確認の結果に基づき前記中継装置又は前記基地局の動作状況を判定するステップと、を含むことを特徴とする。
【００１２】
また第６の観点に係る発明は、第４又は第５の観点に係る監視方法であって、前記監視装置が、前記中継装置又は前記基地局の動作状況の判定に基づいて、通信が途絶えた原因を示すアラーム内容を決定するステップと、前記監視装置が、前記アラーム内容に基づいてアラームレベルを決定するステップと、前記監視装置が、前記アラーム内容及び前記アラームレベルを表示するステップと、を含むことを特徴とする。
【００１３】
また本発明を装置として実現させた第７の観点に係る監視装置の発明は、基地局と、移動車両に少なくとも１つ設置され前記基地局と通信可能な中継装置と、前記基地局を介して前記中継装置と通信可能な監視装置とを備える無線通信ネットワークの監視システムにおける監視装置であって、前記基地局又は前記中継装置との間の通信の疎通確認を行う通信確認部と、前記中継装置の位置情報を含む中継装置管理データを受信する中継装置管理データ収集部と、前記受信した中継装置管理データ及び状況判定データを記憶する記憶部と、少なくとも１つの中継装置と前記監視装置との間で通信が途絶えた場合、受信した前記中継装置管理データに含まれる中継装置の位置情報に対応する前記状況判定データの判定情報により、前記中継装置の動作状況を判定する監視装置制御部と、を備えることを特徴とする。
【００１４】
また第８の観点に係る発明は、第７の観点に係る監視装置であって、全ての前記中継装置と前記監視装置との間で通信が途絶えた場合、前記通信確認部は前記基地局と前記監視装置との間の通信の疎通確認を行い、前記監視装置制御部は、前記判定情報又は前記疎通確認の結果に基づき前記中継装置又は前記基地局の動作状況を判定することを特徴とする。
【００１５】
また第９の観点に係る発明は、第７又は第８の観点に係る監視装置であって、前記監視装置制御部は、前記中継装置又は前記基地局の動作状況の判定に基づいて、通信が途絶えた原因を示すアラーム内容を決定し、前記監視装置はさらに、前記アラーム内容に基づいてアラームレベルを決定するアラームレベル決定部と、前記アラーム内容及び前記アラームレベルを表示するアラーム表示部と、を有することを特徴とする。
【発明の効果】
【００１６】
本発明によれば、移動する車両等に設置されている中継装置を、基地局を介して監視する無線通信システムにおいて、通信が途絶えた際の中継装置の動作状況を判定することが可能となる。
【図面の簡単な説明】
【００１７】
【図１】本発明の一実施形態に係る監視システムの概要図である。
【図２】本発明の一実施形態に係る監視システムにおける中継装置のブロック図である。
【図３】本発明の一実施形態に係る監視システムにおける監視装置のブロック図である。
【図４】本発明の一実施形態に係る監視システムにおける中継装置管理データベースの概要図である。
【図５】本発明の一実施形態に係る監視システムにおける状況判定データベースの概要図である。
【図６】本発明の一実施形態に係る監視システムにおける中継装置の動作を示すフローチャートである。
【図７】本発明の一実施形態に係る監視システムにおける監視装置の動作を示すフローチャートである。
【図８】本発明の一実施形態に係る監視システムにおける監視装置の動作を示すフローチャートである。
【図９】本発明の一実施形態に係る監視システムにおける監視装置の動作を示すフローチャートである。
【発明を実施するための形態】
【００１８】
以下、本発明に係る実施形態について、図面を参照して説明する。
【００１９】
（実施の形態）
図１は、本発明の一実施形態に係る監視システム１の概要図である。監視システム１は、基地局１０と、移動車両２６に少なくとも１つ設置された中継装置２０と、監視装置３０と、を備える。移動車両２６は、例えば、１つ以上の車両が連結された電車や、バス等の自動車である。
【００２０】
基地局１０は、中継装置２０及び監視装置３０と無線通信し、中継装置２０と監視装置３０との間の通信を中継する。以下の説明において、中継装置２０と監視装置３０との間の通信は、基地局１０を介して行われることを前提とする。
【００２１】
中継装置２０は、監視装置３０との通信を行う。また、中継装置２０は、下位の移動局（不図示）との通信を行う。
【００２２】
監視装置３０は、中継装置２０と通信して動作状況を監視する。また、監視装置３０は、中継装置２０との通信が途絶えた場合に、中継装置２０の動作状況を判定する。
【００２３】
図２は、本発明の一実施形態に係る監視システム１における中継装置２０のブロック図である。中継装置２０は、位置情報取得部２１と、ドナー部２２と、サービス部２３と、信号品質取得部２４と、中継装置制御部２５とを備える。
【００２４】
位置情報取得部２１は、中継装置２０の位置情報である中継装置位置情報４４を定期的に（例えば１秒間隔で）取得する。位置情報取得部２１は、例えばＧＰＳである。また中継装置位置情報４４は、例えば緯度経度情報である。
【００２５】
ドナー部２２は、基地局１０との通信を行う。また、ドナー部２２は、位置情報取得部２１が受信した中継装置位置情報４４を含む中継装置管理データ４０を基地局１０に対して送信する。中継装置管理データ４０については図４の説明で詳述する。サービス部２３は、下位の移動局に対して電波を送信しサービスを提供する。
【００２６】
信号品質取得部２４は、基地局１０との通信信号の品質を取得し、ドナー部２２を介して基地局１０に対して送信する。
【００２７】
中継装置制御部２５は、中継装置２０に係る各種制御を行う。具体的には中継装置制御部２５は、外部から動作終了の指示の有無を判断する。外部からの動作終了の指示は、中継装置２０又は監視装置３０の操作者等による入力操作、遠隔操作等により行う。中継装置制御部２５は、外部から動作終了の指示がない場合、位置情報取得部２１を制御し、中継装置２０に係る中継装置位置情報４４を取得させる。続いて中継装置制御部２５は、ドナー部２２を制御して中継装置管理データ４０を報知する。一方、中継装置制御部２５は、外部から動作終了の指示があった場合、処理を終了する。
【００２８】
図３は、本発明の一実施形態に係る監視システム１における監視装置３０のブロック図である。監視装置３０は、通信確認部３１と、中継装置管理データ収集部３２と、記憶部３３と、監視装置制御部３４と、アラームレベル決定部３５と、アラーム表示部３６と、を備える。
【００２９】
通信確認部３１は、中継装置２０に対して通信の疎通確認を定期的に行う。疎通確認には、例えば、ｐｉｎｇを用いる。ｐｉｎｇとは、主にネットワークの疎通を確認するために使用されるコマンドであり、疎通確認元の端末が、指定相手先（ＩＰアドレス又はホスト名）に文字列を送信し、その応答の有無により指定相手先の端末がネットワークに接続されているか否かを確認することができる。また、通信確認部３１は、基地局１０に対して通信の疎通確認を行う。
【００３０】
中継装置管理データ収集部３２は、中継装置管理データ４０を中継装置２０から受信する。
【００３１】
記憶部３３は、受信された中継装置管理データ４０を中継装置管理データベース（中継装置ＤＢ）４１に追加して記憶する。また記憶部３３は、予め状況判定データベース（状況判定ＤＢ）５１を記憶している。状況判定データベース５１については図５の説明で詳述する。
【００３２】
図４は、本発明の一実施形態に係る監視システム１における中継装置管理データベース４１の概要図である。中継装置管理データベース４１は、中継装置管理データ４０を蓄積したものである。
【００３３】
中継装置管理データ４０は、中継装置２０に固有の中継装置ＩＤ４２と、位置情報取得部２１が位置情報を取得した時刻情報４３と、中継装置２０の位置情報である中継装置位置情報４４とを含む。
【００３４】
好適には、中継装置管理データ４０は、信号品質取得部２４が取得したＲＳＳＩ（受信信号強度）４５及びＣＩＮＲ（信号対干渉雑音比）４６と、基地局１０に固有の接続マクロＢＳＩＤ４７と、を更に含む。
【００３５】
図５は、本発明の実施形態に係る監視システム１における状況判定データベース５１の概要図である。状況判定データベース５１は、基地局１０と中継装置２０との間で無線通信品質が低い（圏外、弱電界等）地点に係る状況判定データ５０を蓄積したものである。
【００３６】
状況判定データ５０は、無線品質位置情報５２と、立地情報５３と、判定情報５４と、を含む。これらの情報は、予め実施された無線通信品質調査等の結果に基づき定められる。例えば移動車両２６が電車である場合、当該情報は、電車の路線に沿った移動車両２６の走行区間全域における無線通信品質調査の結果に基づき定められる。
【００３７】
無線品質位置情報５２は、無線品質の低い（圏外、弱電界等）地点の位置情報である。好適には、無線品質位置情報５２は、緯度経度情報であり、また緯度経度により定まる位置から任意の範囲を有してもよい。
【００３８】
立地情報５３は、無線品質位置情報５２が示す地点の地理的環境を示す。例えば、車両センター、トンネル、駅等である。
【００３９】
判定情報５４は、無線品質位置情報５２及び立地情報５３が示す地点に中継装置２０が移動したことによって中継装置２０と監視装置３０との間の通信が途絶えた場合の具体的なアラーム内容を示す。判定情報５４は、予め実施した無線通信品質調査等の結果に基づいて定められ、例えば、圏外停車中、圏外走行中、弱電界等である。
【００４０】
監視装置制御部３４は、監視装置３０に係る各種制御を行う。具体的には監視装置制御部３４は、外部からの動作終了の指示の有無を判断する。外部からの動作終了の指示は、監視装置３０の操作者等による入力操作、遠隔操作等により行う。また監視装置制御部３４は、終了指示がなかったと判断された場合、通信確認部３１を制御して少なくとも１つの中継装置２０と通信が途絶えたか否かを判断する。また監視装置制御部３４は、中継装置管理データ収集部３２を制御して、中継装置２０から中継装置管理データ４０を受信し、記憶部３３の中継装置管理データベース４１に追加して記憶する。
【００４１】
また監視装置制御部３４は、少なくとも１つの中継装置２０と通信が途絶えている場合、中継装置２０の動作状況判定処理を行う。具体的には監視装置制御部３４は、記憶部３３に記憶されている中継装置管理データ４０であって中継装置２０との通信が途絶える直前のデータと状況判定データベース５１とを照合する。
【００４２】
この照合は、中継装置管理データ４０に含まれる中継装置位置情報４４と、状況判定データ５０に含まれる無線品質位置情報５２とを比較して行う。すなわち監視装置制御部３４は、中継装置位置情報４４により定められる位置が、無線品質位置情報５２により定められる位置の範囲内に含まれるような無線品質位置情報５２を含む状況判定データ５０を抽出する。好適には、監視装置制御部３４は、記憶部３３に記憶されている中継装置管理データ４０であって中継装置２０との通信が途絶える直前のデータを、中継装置管理データ４０の時刻情報４３に基づき決定し、照合に用いる。
【００４３】
そして監視装置制御部３４は、当該照合に基づき中継装置２０の動作状況を判定する。また基地局１０との通信が途絶えている場合、監視装置制御部３４は、基地局１０に障害が発生したと判定する。次に監視装置制御部３４は、当該判定に基づき通信が途絶えた原因を示すアラーム内容を決定する。続いて監視装置制御部３４は、アラームレベル決定部３５に、当該アラーム内容に基づいてアラームレベルを決定させる。
【００４４】
アラームレベル決定部３５は、監視装置制御部３４により決定されたアラーム内容に基づいてアラームレベルを決定する。アラームレベルは、例えばアラーム内容が圏外や基地局１０の障害であれば「ｉｎｆｏ」、中継装置２０の故障であれば「Ｃｒｉｔｉｃａｌ」とする。
【００４５】
アラーム表示部３６は、監視装置制御部３４により決定されたアラーム内容及びアラームレベル決定部３５により決定されたアラームレベルを表示する。
【００４６】
図６は、本発明の一実施形態に係る監視システム１における中継装置２０の動作を示すフローチャートである。はじめに中継装置制御部２５は、外部から動作終了の指示の有無を判断する（ステップＳ６０１）。終了指示があったと判断した場合、処理を終了する。一方終了指示がなかったと判断した場合、中継装置制御部２５は、位置情報取得部２１を制御して中継装置２０に係る中継装置位置情報４４を取得する（ステップＳ６０２）。
【００４７】
続いて中継装置制御部２５は、ドナー部２２を制御して中継装置管理データ４０を報知する（ステップＳ６０３）。ステップＳ６０３の処理が終了すると、ステップＳ６０１に戻り、同様の処理を繰り返す。好適にはこの繰り返しは、所定の頻度で定期的に（例えば１秒間隔で）行う。
【００４８】
図７は、本発明の一実施形態に係る監視システム１における監視装置３０の動作を示すフローチャートである。はじめに監視装置制御部３４は、外部から動作終了の指示の有無を判断する（ステップＳ７０１）。終了指示があったと判断された場合、処理を終了する。終了指示がなかったと判断された場合、監視装置制御部３４は、通信確認部３１を制御して少なくとも１つの中継装置２０と通信が途絶えたか否かを判断する（ステップＳ７０２）。すなわち監視装置制御部３４は、移動車両２６に設置されている全ての中継装置２０に対して通信の疎通確認を行う。
【００４９】
全ての中継装置２０と通信が途絶えておらず、通信が確立している場合、監視装置制御部３４は、中継装置管理データ収集部３２を制御して中継装置２０から中継装置管理データ４０を受信する（ステップＳ７０３）。続いて監視装置制御部３４は、受信した中継装置管理データ４０を記憶部３３の中継装置管理データベース４１に追加して記憶する（ステップＳ７０４）。
【００５０】
一方、少なくとも１つの中継装置２０と通信が途絶えている場合、監視装置制御部３４は、中継装置２０の動作状況判定処理を行う（ステップＳ７０５）。動作状況判定処理については、図８の説明にて詳述する。
【００５１】
ステップＳ７０４又はステップＳ７０５の処理が終了すると、ステップＳ７０１に戻り、同様の処理を繰り返す。好適にはこの繰り返しは、所定の頻度で定期的に（例えば１秒間隔で）行う。
【００５２】
図８は、本発明の一実施形態に係る監視システム１における中継装置２０の動作状況判定処理の動作を示すフローチャートである。はじめに監視装置制御部３４は、記憶部３３に記憶されている中継装置管理データ４０であって中継装置２０との通信が途絶える直前のものと状況判定データベース５１とを照合する（ステップＳ８０１）。
【００５３】
監視装置制御部３４は、照合に用いた中継装置管理データ４０に係る中継装置位置情報４４により定められる位置が、無線品質位置情報５２により定められる位置の範囲内に含まれるような無線品質位置情報５２を含む状況判定データ５０が存在するか否かを判断する（ステップＳ８０２）。
【００５４】
対応する状況判定データ５０が存在する場合、監視装置制御部３４は、当該対応する状況判定データ５０に含まれる判定情報５４をアラーム内容として決定する（ステップＳ８０３）。次に監視装置制御部３４は、アラームレベル決定部３５を制御してアラーム内容に基づきアラームレベルを決定する（ステップＳ８０４）。そして監視装置制御部３４は、アラーム表示部３６を制御して当該アラーム内容及び当該アラームレベルを表示する（ステップＳ８０５）。
【００５５】
対応する状況判定データ５０が存在しない場合、監視装置制御部３４は中継装置２０が故障していると判定し、その旨をアラーム内容として決定する（ステップＳ８０６）。次に監視装置制御部３４は、アラームレベル決定部３５を制御してアラーム内容に基づきアラームレベルを決定する（ステップＳ８０４）。そして監視装置制御部３４は、アラーム表示部３６を制御してアラーム内容及びアラームレベルを表示する（ステップＳ８０５）。
【００５６】
このように、本発明によれば、中継装置２０と監視装置３０との間の通信が途絶えた場合、通信が途絶える直前の中継装置管理データ４０と状況判定データベース５１とを照合する。対応する状況判定データ５０が存在する場合、当該状況判定データ５０に基づいて中継装置２０の動作状況（圏外停車中、圏外走行中、弱電界等）を判定する。一方対応する状況判定データ５０が存在しない場合、中継装置２０が故障していると判定する。そして判定結果に基づき、アラーム内容及びアラームレベルを表示する。これにより監視装置３０の操作者は、通信が途絶えた原因を一見して即座に把握することができ、故障の場合には迅速な障害対応が可能となる。
【００５７】
（変形例）
図９は、本発明の変形例に係る監視システム１における監視装置３０の動作を示すフローチャートである。この実施形態においては、１つの移動車両２６に２つ以上の中継装置２０が設置されている。はじめに監視装置制御部３４は、外部から動作終了の指示の有無を判断する（ステップＳ９０１）。終了指示があったと判断した場合、処理を終了する。終了指示がなかったと判断した場合、監視装置制御部３４は、通信確認部３１を制御して少なくとも１つの中継装置２０と通信が途絶えたか否かを判断する（ステップＳ９０２）。すなわち移動車両２６に設置されている全ての中継装置２０に対して通信の疎通確認を行う。
【００５８】
全ての中継装置２０と通信が途絶えておらず、通信が確立している場合、監視装置制御部３４は、中継装置管理データ収集部３２を制御して中継装置２０から中継装置管理データ４０を受信する（ステップＳ９０３）。続いて監視装置制御部３４は、受信した中継装置管理データ４０を記憶部３３の中継装置管理データベース４１に追加して記憶する（ステップＳ９０４）。
【００５９】
一方、少なくとも１つの中継装置２０と通信が途絶えている場合、監視装置制御部３４は、通信確認部３１を制御して全ての中継装置２０と通信が途絶えているか判断する（ステップＳ９０５）。
【００６０】
全ての中継装置２０と通信が途絶えておらず、少なくとも１つの中継装置２０と通信が確立している場合、監視装置制御部３４は動作状況判定処理を行う（ステップＳ９０６）。
【００６１】
一方、全ての中継装置２０と通信が途絶えている場合、監視装置制御部３４は、通信確認部３１を制御して基地局１０と通信が可能か否かを判断する（ステップＳ９０７）。すなわち基地局１０に対して通信の疎通確認を行う。
【００６２】
基地局１０と通信可能である場合、監視装置制御部３４は動作状況判定処理を行う（ステップＳ９０６）。
【００６３】
一方、基地局１０と通信不能である場合、監視装置制御部３４は基地局１０に障害が発生していると判定し、その旨をアラーム内容として決定する（ステップＳ９０８）。次に監視装置制御部３４は、アラームレベル決定部３５を制御してアラーム内容に基づきアラームレベルを決定する（ステップＳ９０９）。そして監視装置制御部３４は、アラーム表示部３６を制御してアラーム内容及びアラームレベルを表示する（ステップＳ９１０）。
【００６４】
ステップＳ９０４、ステップＳ９０６、又はステップＳ９１０の処理が終了すると、ステップＳ９０１に戻り、同様の処理を繰り返す。好適にはこの繰り返しは、所定の頻度で定期的に（例えば１秒間隔で）行う。
【００６５】
このように、本発明によれば、全ての中継装置２０と監視装置３０との間の通信が途絶えた場合、基地局１０に対して通信の疎通確認を行う。基地局１０と通信不能である場合、監視装置制御部３４は、基地局１０に障害が発生していると判定する。そして判定結果に基づき、アラーム内容及びアラームレベルを表示する。これにより監視装置３０の操作者は、基地局１０の障害により中継装置２０との通信が途絶えていることを一見して即座に把握することができ、故障の場合には迅速な障害対応が可能となる。
【００６６】
本発明を諸図面に基づき説明してきたが、当業者であれば本開示に基づき種々の変形や修正を行うことが容易であることに注意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００６７】
１      監視システム
１０    基地局
２０    中継装置
２１    位置情報取得部
２２    ドナー部
２３    サービス部
２４    信号品質取得部
２５    中継装置制御部
２６    移動車両
３０    監視装置
３１    通信確認部
３２    中継装置管理データ収集部
３３    記憶部
３４    監視装置制御部
３５    アラームレベル決定部
３６    アラーム表示部
４０    中継装置管理データ
４１    中継装置管理データベース（中継装置管理ＤＢ）
４２    中継装置ＩＤ
４３    時刻情報
４４    中継装置位置情報
４５    ＲＳＳＩ（受信信号強度）
４６    ＣＩＮＲ（信号対干渉雑音比）
４７    接続マクロＢＳＩＤ
５０    状況判定データ
５１    状況判定データベース（状況判定ＤＢ）
５２    無線品質位置情報
５３    立地情報
５４    判定情報
【図１】
2014107721.tif 000003
【図２】
2014107721.tif 000004
【図３】
2014107721.tif 000005
【図４】
2014107721.tif 000006
【図５】
2014107721.tif 000007
【図６】
2014107721.tif 000008
【図７】
2014107721.tif 000009
【図８】
2014107721.tif 000010
【図９】
2014107721.tif 000011